(57)【要約】【課題】  ブレーキ性能を確保しつつ、回転エネルギーの低減を抑えることができる構造を有するコマ玩具を提供すること。【解決手段】  回転中心と一致する軸線を軸中心とする軸部１０を備え、軸部１０における下端部に、軸線を中心として回転自在に設けられた環状部材５２と、この環状部材５２の中心に配置され、当該環状部材５２よりも下部に突出する球状体５１と、を有する軸先部１１が配設されている。【選択図】図３
2018064726.tif 000002
【特許請求の範囲】
【請求項１】
回転中心と一致する軸線を軸中心とする軸部を備え、
前記軸部における下端部に、前記軸線を中心として回転自在に設けられた環状部材と、この環状部材の中心に配置され、当該環状部材よりも下部に突出する接地部材と、を有する軸先部が配設されていることを特徴とするコマ玩具。
【請求項２】
前記接地部材は球状体であり、
前記環状部材は、前記球状体の上下方向における中央部よりも下側を抱持することで前記球状体を回転自在に保持するものであることを特徴とする請求項１に記載のコマ玩具。
【請求項３】
前記軸部は、
前記軸先部を可動状態で下側から支持するとともに前記軸先部における下端部を露出させる下部ケースと、
前記軸先部における上側に当接する当接部材と、
を備えていることを特徴とする請求項１に記載のコマ玩具。
【請求項４】
前記環状部材における下側端部に、突起部が設けられていることを特徴とする請求項１から請求項３のいずれか一項に記載のコマ玩具。
【請求項５】
前記環状部材における下側端部に、前記環状部材の周方向に沿ってほぼ均等な間隔をおいて複数の突起部が設けられていることを特徴とする請求項１から請求項３のいずれか一項に記載のコマ玩具。
【請求項６】
前記環状部材における下側端部に突起部が設けられ、
前記突起部における接地側はＲ形状となっていることを特徴とする請求項１から請求項３のいずれか一項に記載のコマ玩具。
【発明の詳細な説明】
【技術分野】
【０００１】
本発明はコマ玩具に関するものである。
【背景技術】
【０００２】
従来、コマ玩具における軸部の先端に接触子として球状体を設けたものも提案されている（例えば、特許文献１参照）。
このように軸部の先端に設けられる接触子が球状体である場合には、軸部の先端とフィールド（遊戯を行う面）との摩擦抵抗を少なくすることができ、コマ玩具をより円滑に回転させることができる。
こうしたコマ玩具では、例えばボールペンのペン先部分のように、球状体におけるもっとも径の大きな部分よりも下側で球状体を抱持する環状部材を設けて、球状体が下側に抜け落ちるのを防止する構造がとられる。
【先行技術文献】
【特許文献】
【０００３】
【特許文献１】実用新案公開昭５５−４５３８５号公報
【発明の概要】
【発明が解決しようとする課題】
【０００４】
しかしながら、球状体の周りに環状部材を配置した場合、例えばコマ玩具が斜め方向からフィールドに投げ落とされたり、対戦相手のコマ玩具と接触して跳ね飛ばされることでコマ玩具の軸が傾き、環状部材がフィールドと接触することがある。
環状部材がフィールドと接触すると、軸が傾いたコマ玩具の姿勢を立て直すことができるとともに、コマ玩具にブレーキがかかり、コマ玩具がフィールドから飛び出すのを防止することができる。しかし他方で、環状部材が固定されていると、環状部材とフィールドとの摩擦抵抗が大きいためにコマ玩具の回転エネルギーが失われてしまうという問題がある。
このような問題は、接触子が球状体である場合に限らず、また接触子の先端側の形状に関わらず、接触子の周りに環状部材を有する場合には同様に生じ得る。
【０００５】
本発明は、かかる問題点に鑑みなされたもので、ブレーキ性能を確保しつつ、回転エネルギーの低減を抑えることができる構造を有するコマ玩具を提供することを目的とする。
【課題を解決するための手段】
【０００６】
第１の手段は、
回転中心と一致する軸線を軸中心とする軸部を備え、
前記軸部における下端部に、前記軸線を中心として回転自在に設けられた環状部材と、この環状部材の中心に配置され、当該環状部材よりも下部に突出する接地部材と、を有する軸先部が配設されていることを特徴とする。
【０００７】
第２の手段は、第１の手段において、前記接地部材は球状体であり、
前記環状部材は、前記球状体の上下方向における中央部よりも下側を抱持することで前記球状体を回転自在に保持するものであることを特徴とする。
【０００８】
第３の手段は、第１の手段において、前記軸部は、
前記軸先部を可動状態で下側から支持するとともに前記軸先部における下端部を露出させる下部ケースと、
前記軸先部における上側に当接する当接部材と、
を備えていることを特徴とする。
【０００９】
第４の手段は、第１から第３のいずれか一の手段において、前記環状部材における下側端部に、突起部が設けられていることを特徴とする。
【００１０】
第５の手段は、第１から第３のいずれか一の手段において、前記環状部材における下側端部に、前記環状部材の周方向に沿ってほぼ均等な間隔をおいて複数の突起部が設けられていることを特徴とする。
【００１１】
第６の手段は、第１から第３のいずれか一の手段において、前記環状部材における下側端部に突起部が設けられ、
前記突起部における接地側はＲ形状となっていることを特徴とする。
【発明の効果】
【００１２】
本発明によれば、回転自在に保持された接地部材が接地することで円滑にコマ玩具が回転するとともに、軸部が傾くと環状部材がフィールドと接触してブレーキがかかり、コマ玩具がフィールドから飛び出すのを防ぐことができる。
また、軸部が傾いた際に環状部材が支えとなり、コマ玩具が倒れるのを防いで、その姿勢を立て直すことができる。
また、環状部材自体が回転自在に設けられているため、環状部材がフィールドと接触してもコマ玩具の回転方向の摩擦抵抗は少なく、コマ玩具の回転エネルギーが失われるのを最低限に抑えることができる。
【００１３】
また、接地部材が球状体であり、環状部材は、この球状体の上下方向における中央部よりも下側を抱持することで球状体を回転自在に保持している。
このため、球状体が下側に抜け落ちるのを防止することができるとともに、回転自在の球状体が接地することでフィールドとの摩擦抵抗を最小限に抑えて、コマ玩具がより円滑に長時間回転し続けることができる。
【００１４】
また、軸先部は、可動状態で下側から支持する下部ケースと軸先部における上側に当接する当接部材との間に挟まれるように配置されている。
このため、別途軸受部材等を設けなくても、軸先部の上下方向への移動が規制されるとともに、軸線周りに回転することは妨げられず、軸先部を構成する球状体や環状部材がフィールドと接触した際に回転エネルギーを失いにくく、より円滑に長時間回転可能なコマ玩具を実現することができる。
【００１５】
また、環状部材における下側端部に、突起部が設けられているため、軸部が傾いた際に、突起部がフィールドと点接触することでブレーキをかけることができる。
これにより、環状部材がフィールドと面で接触する場合と比べて摩擦抵抗が少なく、回転エネルギーの喪失をより少なく抑えることができる。
さらに、突起部がフィールドと点接触することで、回転に変化を生じ、コマ玩具が予期しない方向に弾かれて、予測できないゲーム展開が期待でき、興趣性も向上する。
【００１６】
また、環状部材における下側端部に、環状部材の周方向に沿ってほぼ均等な間隔をおいて複数の突起部が設けられている。
このため、突起部がフィールドと点接触することでブレーキをかけることができるとともに、軸部がどの方向に傾いても安定してコマ玩具の姿勢を立て直すことができる。
【００１７】
また、環状部材における下側端部に設けられた突起部における接地側はＲ形状となっている。
このため、突起部がフィールドと点接触することでブレーキをかけることができるとともに、角で当接するよりも滑らかにフィールドに当たるため、衝撃を和らげて、回転エネルギーの喪失をより低減させることができる。
【図面の簡単な説明】
【００１８】
【図１】（ａ）は、本発明に係るコマ玩具の一実施形態を示す斜視図であり、（ｂ）は、本実施形態におけるコマ玩具の遊び方を説明した図である。
【図２】本実施形態のコマ玩具の分解斜視図である。
【図３】（ａ）は、本実施形態のコマ玩具の軸部の左右方向の断面斜視図であり、（ａ）は、本実施形態の軸部の前後方向の断面斜視図である。
【図４】コマ玩具の軸部の分解斜視図である。
【図５】（ａ）は、コマ玩具の押圧部材の斜視図であり、（ｂ）は、コマ玩具の環状部材の斜視図であり、（ｃ）は、コマ玩具の第１柱状部材の斜視図であり、（ｄ）は、コマ玩具の下部ケースの斜視図である。
【図６】（ａ）は、コマ玩具の軸部本体の斜視図であり、（ｂ）は、（ａ）に示す軸部本体から第１柱状部材を取り外した状態を示す斜視図である。
【図７】（ａ）は、性能可変リング（フライホイール）の断面斜視図であり、（ｂ）は、胴部の断面斜視図である。
【図８】（ａ）及び（ｂ）は、本実施形態のコマ玩具におけるコマ本体である軸部、胴部及び性能可変リング（フライホイール）の係合状態を示した作動図である。
【図９】本実施形態のコマ玩具を回転駆動させるランチャーの一例を示した斜視図である。
【発明を実施するための形態】
【００１９】
以下、図１（ａ）及び図１（ｂ）から図９を参照しつつ、本発明に係るコマ玩具の一実施形態について説明する。
なお、以下の実施形態には、本発明を実施するために技術的に好ましい種々の限定が付されているが、本発明の範囲を以下の実施形態及び図示例に限定するものではない。
【００２０】
《全体構成》
図１（ａ）は、本発明に係るコマ玩具の一実施形態の斜視図であり、図１（ｂ）は、コマ玩具の遊び方を説明した図であり、図２は、本実施形態のコマ玩具の分解斜視図である。
なお、本明細書においては、上下、左右及び前後は図２に示した向きをいうものとする。
実施形態のコマ玩具１は、いわゆるコマバトルゲームに使用することが可能なコマ玩具である。
具体的には、このコマ玩具１は、互いの衝突による衝撃力で相手方のコマ玩具１を図１（ｂ）に示すように分解させて勝利とするようなバトルゲームに使用することができる。
このコマ玩具１は、図１（ｂ）及び図２に示すように、下部構造を構成しドライバとなる軸部１０と、上部構造を構成するレイヤーとなる性能可変リング３０及び胴体４０とによって構成されている。
【００２１】
《細部構成》
１．軸部１０について
図３（ａ）は、本実施形態のコマ玩具の軸部を図２における左右方向に切断した場合の断面斜視図であり、図３（ｂ）は、本実施形態のコマ玩具の軸部を図２における前後方向に切断した場合の断面斜視図である。
また、図４は、本実施形態における軸部の分解斜視図である。
【００２２】
図２に示すように、軸部１０は、コマ玩具１の回転中心と一致する軸線を軸中心とし、下端部に軸先部１１、上下方向中間部に鍔部１２、上部に円筒部１３を備えている。
本実施形態において、このうち鍔部１２と円筒部１３とは、図４に示すように、上部ケース１４として一体に形成されており、軸部上部を構成している。
図３（ａ）及び図４に示すように、上部ケース１４の円筒部１３及び鍔部１２には、軸部１０の軸線を挟み左右方向で対峙する部位２箇所それぞれに突出部１４１が形成されている。この突出部１４１の外面は鍔部１２の外周面とほぼ面一となっている。
また、図３（ｂ）及び図４に示すように、上部ケース１４の円筒部１３及び鍔部１２には、軸部１０の軸線を挟み前後方向で対峙する部位２箇所それぞれに孔１４２が形成されている。孔１４２は、軸部１０の軸線に沿って延在している。
【００２３】
また、軸部１０は、ほぼ円筒状に形成された押圧部材１５を備えている。本実施形態において押圧部材１５は合成樹脂で形成されているが、押圧部材１５は金属製等であってもよい。
図５（ａ）は、押圧部材１５を斜め上方向から見た斜視図である。
図３（ｂ）、図４及び図５（ａ）に示すように、押圧部材１５は、円筒部１５１と、天井部１５２と、脚部１５３とを備えている。
円筒部１５１の外径は、上部ケース１４の円筒部１３の内径よりも小さくなっており、組み立て状態において、押圧部材１５の円筒部１５１は、上部ケース１４の円筒部１３内に配置される。
また、円筒部１５１の内径は、後述する軸部本体５０の第１柱状部材５３の上端部の外径よりも大きく形成されており、第１柱状部材５３の上端部が円筒部１５１内に嵌め込まれるようになっている。
天井部１５２は円筒部１５１の上端に設けられている。この天井部１５２には、第１柱状部材５３の上端部に対応する形状の孔１５４が形成されている。
また、脚部１５３は、円筒部１５１の外周下端部に設けられている。
この脚部１５３は、円筒部１５１の外周のうち、軸部１０の軸線を挟み前後方向で対峙する部位２箇所それぞれに形成されている。この脚部１５３は、円筒部１５１から水平に張り出す水平部１５５、水平部１５５の先端から垂直下方に延びる鉛直部１５６とから構成されている。
【００２４】
このように構成された押圧部材１５は、組み立て状態において、脚部１５３が上記上部ケース１４の孔１４２に挿入されるようにして設置される。孔１４２は上下方向の寸法が脚部１５３の長さ寸法よりも大きく設定されており、脚部１５３が孔１４２内を上下方向に案内されることで、押圧部材１５は軸部１０の軸線に沿って上下方向に移動可能となっている。
この押圧部材１５はスプリング１６によって上方に付勢されている。この押圧部材１５は、脚部１５３が孔１４２の上縁に突き当たることにより上方への移動が規制されており、常態では、押圧部材１５の上端は上部ケース１４の円筒部１３の上端とほぼ同じ高さ位置に配置される。
また、押圧部材１５の天井部１５２の上面には、軸部１０の軸線を挟み左右方向で対峙する部位２箇所それぞれに半径方向に延びる凸条（突起）１５７が形成されている。
【００２５】
軸部１０の下部には、軸部下部を構成し、後述する軸先部１１を可動状態で下側から支持するとともに軸先部１１における下端部を露出させる下部ケース１７が設けられている。
図５（ｄ）は、本実施形態における下部ケース１７の斜視図である。
図４及び図５（ｄ）に示すように、軸部下部を構成する下部ケース１７は、上下に開口し、鍔部１２側から軸先部１１側に向けて徐々に径が小さくなる形状で、全体として略半球状又は略逆円錐状に形成されている。
下部ケース１７には、図２及び図４に示すように、上部ケース１４の突出部１４１に対応した位置に半径方向外方に張り出す突出部１７１が形成されている。
軸部上部と軸部下部とは、突出部１４１，１７１の箇所で軸部下部を構成する下部ケース１７に軸部上部を構成する上部ケース１４の鍔部１２及び円筒部１３をねじ１８で固定することにより、一体化される。
また、下部ケース１７における下側の開口端には、下部ケース１７の内側に向かって張り出す内向きフランジ部１７２が形成されている。
この内向きフランジ部１７２の内側の径は、後述する環状部材５２の鍔部５２１の外側の径よりも小さくなっており、環状部材５２の鍔部５２１の下側面が内向きフランジ部１７２の上側面に当接することで、下部ケース１７は、軸先部１１を構成する環状部材５２を下側から支持して抜け落ちを防止する。また、このように鍔部５２１の下側面が内向きフランジ部１７２の上側面に当接した状態において、軸先部１１を構成する環状部材５２及び接地部材である球状体５１の下端部が下部ケース１７の下側の開口から露出した状態となる。
【００２６】
上部ケース１４と下部ケース１７とで形成される空間内には、コマ玩具１の回転中心と一致する軸線を軸中心とする軸部本体５０が配置されている。
図６（ａ）は、軸部本体の斜視図であり、図６（ｂ）は、図６（ａ）の軸部本体から第１柱状部材を取り外して内部構成を示した斜視図である。
図４、図６（ａ）及び図６（ｂ）に示すように、軸部本体５０は、軸先部１１、第１柱状部材５３、第２柱状部材５４を備えている。
【００２７】
本実施形態では、接地部材と環状部材５２とによって軸先部１１が構成されている。
すなわち、軸先部１１は、軸部１０における下端部に配設されており、軸線を中心として回転自在に設けられた環状部材５２と、この環状部材５２の中心に配置され、当該環状部材５２よりも下部に、少なくともその先端部分が突出する接地部材と、を有している。
接地部材は、コマ玩具１で遊ぶ際に、フィールド等に直接接触する部分であり、本実施形態では、環状部材５２よりも下部に突出する円弧状部５１１を有している。より具体的には、本実施形態の接地部材は、中央部の径が最も大きく形成された球状体５１である。
球状体５１は例えば金属製のボールである。なお、球状体５１を形成する材料は金属に限定されず、例えば硬質樹脂等で形成されていてもよい。
球状体５１の大きさは特に限定されないが、球状体５１の径が大きいほどコマ玩具１が倒れそうになったときにも姿勢を安定させやすい。
【００２８】
図５（ｂ）は、環状部材５２の斜視図である。
環状部材５２は、球状体５１の上下方向における中央部よりも下側を抱持することで球状体５１を回転自在に保持する環状部材である。
すなわち、本実施形態において、球状体５１は中央部の径が最も大きくなっており、環状部材５２がこの最大径部分よりも下側で球状体５１を抱持することで、球状体５１が環状部材５２から下方向に抜け落ちないようになっている。
具体的には、図４及び図５（ｂ）に示すように、環状部材５２は、上下に開口する円筒状の部材であり、上側の開口端には、外向きに張り出す鍔部５２１が設けられている。
前述のように、組み付け状態において、鍔部５２１は、その下側面が下部ケース１７の内向きフランジ部１７２の上側面に当接し、下方向に抜け落ちないように下部ケース１７によって下側から支持される。
このように、接地部材である球状体５１を抱持する環状部材５２を設けることで、軸部１０が所定の角度以上傾いた際には環状部材５２がフィールド等に接地する。環状部材５２におけるフィールド等との接地位置は、軸部１０の軸線（回転中心）からある程度離れているため、コマ玩具１について適度にブレーキをかけることができる。
また、環状部材５２の下側の開口端には、内向きに張り出す内向きフランジ部５２２が設けられている。
内向きフランジ部５２２の内側の径は、球状体５１の最大径部分の径よりも小さくなっており、組み付け状態において、球状体５１は内向きフランジ部５２２に当接し、下方向に抜け落ちないように環状部材５２によって抱持される。
【００２９】
また、環状部材５２における下側端部には、環状部材５２の外側に向かって突出する突起部５２３が設けられている。
突起部５２３は、軸部１０の軸線が鉛直方向からある程度傾いたときにフィールド上等に接触するようになっている。突起部５２３があることで、軸部１０の軸線が傾いた際に突起部５２３がフィールド上等に点で接触する。このため、環状部材５２の下端部が面でフィールド上等に接触する場合よりも接触面積を少なくでき、回転エネルギーの喪失を低く抑えることができる。
本実施形態では、突起部５２３は、環状部材５２における下側端部に、環状部材５２の周方向に沿ってほぼ均等な間隔をおいて複数（図４に示すように、本実施形態では４つ）設けられている。
なお、突起部５２３の数や配置は特に限定されないが、突起部５２３の数が多い方がフィールド等に対して環状部材５２が突起部５２３によって点で接触しやすくなる。また、できるだけ等間隔に配置した方が重さに偏り等が生じずコマ玩具１が安定するとともに、どのような方向からフィールド等に接触した際にも突起部がフィールド等に接触しやすく好ましい。
また、突起部５２３の形状や大きさは特に限定されないが、本実施形態では、突起部５２３における接地側がＲ形状となっている。このように突起部５２３の角を丸めることで、突起部５２３がフィールド上等に接触した際に衝突の衝撃を和らげることができる。
【００３０】
第１柱状部材５３及び第２柱状部材５４は、軸先部１１における上側に当接する当接部材である。
第１柱状部材５３は、下端部が開口した筒状部５３１を有している。
筒状部５３１の外径は、前述の押圧部材１５の円筒部１５１の内径よりも小さく形成されており、第１柱状部材５３の筒状部５３１の上端部は円筒部１５１内に嵌め込まれる。
嵌め込み状態における筒状部５３１の上端の高さ位置は特に限定はされないが、押圧部材１５の円筒部１５１の上端よりも高い位置に設定されている。
この筒状部５３１の上端部には軸部１０の軸線を挟み前後方向で対峙する部位２箇所それぞれに半径方向外側に張り出す爪（第２の爪）５３６が形成されている。
筒状部５３１の上端部の形状は、押圧部材１５の天井部１５２に形成された孔１５４の形状に対応しており、筒状部５３１を円筒部１５１内に嵌め込んだ際、筒状部５３１の上端部が押圧部材１５の孔１５４と嵌り合うようになっている。
【００３１】
第１柱状部材５３における筒状部５３１の下側の外周であって、軸部１０の軸線を挟み左右方向で対峙する部位２箇所には、外側に向かってほぼ水平に張り出す係止腕部５３２がそれぞれ形成されている。この係止腕部５３２の基端側には、第１の孔部５３３が形成されており、自由端側には第２の孔部５３４が形成されている。
第１の孔部５３３は、後述の第２柱状部材５４の脚部５４２の突出部５４４の形状に対応した矩形状となっており、組み立て状態において、第１の孔部５３３内に突出部５４４が挿入される。また、第２の孔部５３４は、円形状となっており、この第２の孔部５３４には上部ケース１４と下部ケース１７とを係止するねじ１８が挿通される。
なお、本実施形態では、第１の孔部５３３と第２の孔部５３４とは一体化して鍵穴状の１つながりの孔部となっている。なお、孔部の形状は図示例に限定されない。
【００３２】
また、第１柱状部材５３における筒状部５３１の下側の外周部であって２つの係止腕部５３２を挟む位置には、下方向に延在する脚部５３５がそれぞれ設けられている。
この脚部５３５は、図６（ａ）に示すように、その下端部（すなわち脚部５３５の自由端）が軸先部１１の環状部材５２の上側端面に当接するか又は環状部材５２の上側端面の近傍に配置される。これにより、軸先部１１の環状部材５２の上方向への浮き上がりが防止される。
なお、脚部５３５の形状や設けられる位置、範囲等はここに例示したものに限定されない。
【００３３】
第２柱状部材５４は、上端部が開口した柱状部５４１と、柱状部５４１の下側の外周から外側に向かって張り出す脚部５４２とを有している。
第１柱状部材５３の筒状部５３１の内径は、第２柱状部材５４の柱状部５４１の外径よりも大きく形成されており、第２柱状部材５４の柱状部５４１は第１柱状部材５３の筒状部５３１内に嵌め込まれるようになっている。
なお、本実施形態では第２柱状部材５４の柱状部５４１が中空の筒状である場合を例示しているが、柱状部５４１は中空のものに限定されず、中実のものでもよい。
なお、コマ玩具１を軽量化するためには、本実施形態のように柱状部５４１が中空の筒状であることが好ましい。
本実施形態における柱状部５４１は、下端部が閉塞しており、接地部材である球状体５１に上側から当接する。なお、球状体５１に当接する部分の形状は図示例に限定されない。
例えば、柱状部５４１の下端部は、球状体５１に向かって軸中心が張り出す凸状や円弧状となっていてもよいし、これとは逆に、球状体５１から離れる方向に軸中心が凹んだ凹状や球状体の表面に沿う円弧状となっていてもよい。
また、柱状部５４１の下端部は開口していてもよく、この場合開口端が球状体５１に当接する。
【００３４】
また、第２柱状部材５４における脚部５４２は、柱状部５４１からほぼ水平に張り出す水平部５４３と、この水平部５４３の先端（自由端）から上方に突出する突出部５４４とから構成されている。
突出部５４４は、前述のように、第１の孔部５３３の形状に対応する矩形状に形成されており、組み立て状態において、突出部５４４は、第１の孔部５３３内に挿入される。
【００３５】
２．性能可変リング３０について
図７（ｂ）は、本実施形態における性能可変リングの断面斜視図である。
この実施形態では、性能可変リング３０としてフライホイールが用いられている。
この性能可変リング３０は板状を成している。
この性能可変リング３０の底面には軸部１０の鍔部１２が下方から収容可能な環状段部３１が形成されている。
また、この性能可変リング３０の上面には軸部１０の軸線を挟み左右方向で対峙する部位２箇所それぞれに上方に向けて張り出す突出部３２が形成されている。各突出部３２の下側部分には、軸部１０の突出部１４１を下方から収容可能な凹部３３が形成されている。また、性能可変リング３０の上面には、各突出部３２の直ぐ外側に上方に延びる舌片３４が形成されている。舌片３４は突出部３２よりも上方に突出している。なお、この性能可変リング３０としては、フライホイールに代えて或いはフライホイールと一体的で、外周面に突出部があって相手方のコマ玩具１を攻撃し易くしたものや、外周面に凹部があって相手方のコマ玩具１からの攻撃を受け難いものを使用してもよい。
【００３６】
３．胴体４０について
図７（ａ）は、本実施形態における胴部の断面斜視図である。
胴体４０は円盤状を成している。この胴体４０は、図２に示すように、基体４００と、上面視で基体４００と略同形で基体４００の上に被せられた透明カバー体４０１とを備えている。
胴体４０の外周には凹凸４０ａが形成されている。また、基体４００の中央には円孔４１が形成されている。上記透明カバー体４０１は円孔４１を除いた部分に被せられている。さらに、胴体４０の下面には、性能可変リング３０の突出部３２を下方から収容可能な環状凹部４２が形成されている。
この環状凹部４２を区画形成する内周璧４３ａの内周面下端には、軸部１０の軸線を挟み前後方向で対峙する部位２箇所それぞれに半径方向内側に向けて張り出す爪（第１の爪）４４が突設されている。
また、内周壁４３ａの下端面には、軸部１０の軸線を挟み左右方向で対峙する部位２箇所それぞれに、凹凸が連続して形成され上記凸条２１に噛み合う起伏部４５が形成されている。
また、胴体４０の環状凹部４２を区画形成する天井壁４３ｂには、性能可変リング３０の舌片３４を下方から挿入可能な弧状スリット４６が形成されている。この弧状スリット４６の長さは舌片３４が十分に移動し得る長さとなっている。
【００３７】
《組立方法》
次に、コマ玩具１の組立方法の一例を説明する。なお、ここでは、軸部１０の組立は既に終了しているものとする。
まず、軸部１０の突出部１４１を下方から性能可変リング３０の凹部３３に合致させるようにして、軸部１０と性能可変リング３０を嵌合状態に組み付ける。
次に、この組付け体を胴体４０に下方から近付ける。この際、上記組付け体の性能可変リング３０の舌片３４を胴体４０の弧状スリット４６の所定の端に合致させる（図８（ａ））。この状態において、軸部１０の爪５３６と胴体４０の爪４４とは上下方向で重なっていない。この状態が結合解除状態である。
その後、上記組付け体の軸部１０を胴体４０側に押圧する。これにより、まず、性能可変リング３０が胴体４０の下面に押し当てられる。さらに、軸部１０内のスプリング１６が縮み、軸部１０の爪５３６が胴体４０の爪４４よりも上方に相対的に押し上げられる。そして、軸部１０を性能可変リング３０と一体的に胴体４０に対して舌片３４が上記所定の端とは反対側の端まで移動するまで回転させる（図８（ｂ））。この場合の回転は、胴体４０と性能可変リング３０及び軸部１０との相対的な回転であって、図８（ｂ）では、軸部１０及び性能可変リング３０に対して胴体４０側を図８（ａ）に示す状態から回転させた状態が示されている。すると、図８（ｂ）に示すように、軸部１０の爪５３６と胴体４０の爪４４とが上下で重なった状態となる。そして、軸部１０から手を離すと、スプリング１６の付勢力によって、軸部１０の爪５３６の下面と胴体４０の爪４４の上面とが当接される。
このように軸部１０の爪５３６の下面と胴体４０の爪４４の上面とが当接された状態が結合状態である。これにより、軸部１０と、性能可変リング３０及び胴体４０が結合され、コマ玩具１が組み立てられる。
【００３８】
《遊び方及び作用》
続いて、このコマ玩具１を使用しての遊び方の一例及びコマ玩具１の作用を説明する。
この遊び方の一例では、コマ玩具１を回転させて、相手方のコマ玩具１と戦いを行う。
この場合、コマ玩具１の回転力のチャージは、図９に示すようなランチャー６０によって行われる。このランチャー６０は、内部に図示しない円板を備え、その円板を図示しないゼンマイばねで一の回転方向に付勢するとともに、円板の周囲に卷回させた図示しない紐をハンドル６１で引くと、円板が回転され、コマホルダー６３が回転されるように構成されている。
このコマホルダー６３にコマ玩具１を装着してコマホルダー６３を回転させると、その回転は、下方に突設されたフォーク６４によってコマ玩具１に伝達され、コマ玩具１を回転させる。この場合、フォーク６４は胴体４０の弧状スリット４６に差し込まれる。そして、ランチャー６０のハンドル６１を引き切ると、円板ひいてはコマホルダー６３の回転が停止する一方で、コマ玩具１は慣性力によって尚も回転するので、フォーク６４の傾斜面６４ａを倣ってコマ玩具１がコマホルダー６３から外れる。なお、図９において符号６２はコマホルダー６３に対して出没可能なロッドである。このロッド６２はコマホルダー６３にコマ玩具１を装着した際にコマ玩具１の上面に押されてコマホルダー６３に没する。このロッド６２は例えばコマ玩具１の着脱の検出に使用される。
【００３９】
このようにして発射されたコマ玩具１は所定のフィールドで回転させられ、相手方のコマ玩具１に衝突すると、衝突による衝撃力や擦れ等によって、胴体４０には、軸部１０及び性能可変リング３０の回転方向とは反対の方向の力が作用する。これによって、胴体４０が軸部１０及び性能可変リング３０の回転方向に対して反対の方向に相対的に回転する。
すると、胴体４０の起伏部４５に凸条２１が噛合する。この場合、凸条２１にはスプリング１６の付勢力が作用するため、衝突による衝撃力が作用する毎に、胴体４０に対して軸部１０が相対回転して噛み合い位置が徐々に変更される。そして、結合解除位置に達すると、胴体４０の爪４４が軸部１０の爪５３６から外れるため、スプリング１６の付勢力によって胴体４０が軸部１０から離反する。そして、図１（ｂ）に示すように、コマ玩具１は軸部１０と性能可変リング３０及び胴体４０とに分解される。
【００４０】
本実施形態では、回転自在に保持された接地部材である球状体５１の円弧状部５１１がフィールドに接地するため、接地部材が棒状や針状である場合と比較して接地した際の抵抗が少なく、滑らかにコマ玩具１が回転する。また、コマ玩具１をフィールド内に投げ入れた際や、対戦相手のコマ玩具と衝突して弾かれた際等に、軸部１０が所定の角度以上傾くと環状部材５２がフィールドと接触してブレーキがかかる。このため、コマ玩具１がフィールドから飛び出すのを防ぐことができるとともに、環状部材５２を支えとして倒れかけたコマ玩具１の姿勢を立て直すことができる。
特に、ゲームに使用されるフィールドが斜面で囲まれたすり鉢状の形状である場合、コマ玩具１をフィールド内に投げ入れた際や、対戦相手のコマ玩具と衝突して弾かれた際等に、コマ玩具１が斜面を登っていく。このとき環状部材５２が設けられていないと、コマ玩具１が斜面を登り切ってフィールドの外に飛び出してしまう可能性がある。この点、環状部材５２が接地することでブレーキとなり、コマ玩具１がフィールドから飛び出すのを防ぐことができる。
また、球状体５１及び環状部材５２は、下部ケース１７と当接部材との間に挟まれるように配置されることで、上下方向への移動は規制されているが、固定されてはいない。このため、軸線周りに回転することは妨げられず、球状体５１や環状部材５２がフィールドと接触した際に回転方向の摩擦抵抗を小さく抑えることができる。
また、環状部材５２における下側端部に、突起部５２３が設けられているため、軸部１０が傾いた際に、突起部５２３がフィールドと点接触することでブレーキをかけることができる。このため、環状部材５２がフィールドと面で接触する場合と比べて摩擦抵抗が小さく抑えられる。
【００４１】
《本実施形態の効果》
以上のように、本実施形態によれば、接地部材として接地部分が円弧状部５１１である球状体５１を適用している。このため、接地部材が棒状や針状である場合と比較してフィールド等に接地した際の抵抗が少なく、滑らかに長時間コマ玩具１を回転させることができる。
また、この接地部材としての球状体５１は、環状部材５２によって抱持されている。このため、軸部１０が所定の角度以上傾くと環状部材５２がフィールドと接触してブレーキがかかり、コマ玩具１がフィールドから飛び出すのを防ぐことができる。また、環状部材５２がフィールドと接することで、環状部材５２を支えとして倒れかけたコマ玩具１の姿勢を立て直すことができる。これにより、長時間安定して回転するコマ玩具を実現することができる。
また、本実施形態では、環状部材５２自体も球状体５１とは独立して回転自在に設けられている。このため、環状部材５２がフィールドと接触しても環状部材５２が軸線周りに回転することで、コマ玩具１の回転方向の摩擦抵抗を少なく抑えることができ、コマ玩具１の回転エネルギーが失われるのを最低限に抑えることができる。
また、本実施形態では、接地部材が球状体５１であり、環状部材５２は、この球状体５１の上下方向における中央部よりも下側を抱持することで球状体を回転自在に保持している。このため、球状体５１が下側に抜け落ちるのを防止することができるとともに、球状体５１の回転動作を阻害せず、回転自在の球状体５１が接地することでフィールドとの摩擦抵抗を最小限に抑えて、より円滑に長時間回転し続けるコマ玩具１を実現することができる。
【００４２】
また、本実施形態では、環状部材５２における下側端部に、突起部５２３が設けられているため、軸部１０が傾いた際に、突起部５２３がフィールドと点接触することでブレーキをかけることができる。これにより、環状部材５２本体がフィールドと面で接触する場合と比べて摩擦抵抗が少なく、回転エネルギーの喪失をより少なく抑えることができる。
さらに、突起部５２３がフィールドと点接触することで、回転に変化を生じ、コマ玩具１が予期しない方向に弾かれて、予測できないゲーム展開が期待でき、興趣性を向上させることができる。
また、本実施形態では、突起部５２３が環状部材５２の周方向に沿ってほぼ均等な間隔をおいて複数設けられている。このため、軸部１０がどの方向に傾いても安定してコマ玩具１の姿勢を立て直すことができる。
また、突起部５２３を複数設けることで、フィールドに突起部５２３が接触した際、コマ玩具１が複数回複雑に弾かれることが想定され、一層予測できないゲーム展開を期待することができ、飽きずに楽しむことができる。
また、本実施形態の突起部５２３における接地側はＲ形状となっている。このため、突起部５２３が角で当接するよりも滑らかにフィールドに当たるため、衝突の衝撃を和らげて、回転エネルギーの喪失をより低減させることができる。
【００４３】
《本発明の変形例》
以上、本発明の実施形態について説明したが、本発明は、かかる実施形態に限定されるものではなく、その要旨を逸脱しない範囲で、種々変形が可能であることは言うまでもない。
例えば、上記実施形態では、接地部材として、球状体５１を設ける例を示したが、接地部材は、少なくともその一部が環状部材５２よりも下部に突出していればよく、球状体に限定されない。
また、接地部材は、環状部材５２よりも下部に突出する部分が円弧状部５１１となっていればよく、球状でなくてもよい。例えば、棒状部材の先端部にＲを設けて円弧状部としたものを接地部材として適用してもよい。
このように接地部材が環状部材５２よりも下部に突出する円弧状部を有する場合には、接地部材が球状体５１１である場合と同様に、接地部材が滑らかにフィールドに接触するため、倒れにくく安定して回転するコマ玩具とすることができる。
なお、軸先部１１は、軸部１０の軸線を中心として回転自在に設けられた環状部材と、この環状部材の中心に配置され、当該環状部材よりも下部に突出する接地部材とを有していればよく、接地部材の形状は特に限定されない、例えば、先端部が錐状等になっているものでもよい。
上記何れの場合でも、接地部材を囲むように環状部材５２を配置することで、軸部１０が所定の角度以上傾いた場合には、環状部材５２がフィールドと接触してブレーキがかかり、コマ玩具１がフィールドから飛び出すのを防ぐことができる。また、環状部材５２がフィールドと接することで、環状部材５２を支えとして倒れかけたコマ玩具１の姿勢を立て直すことができる。
【００４４】
また、環状部材５２における下側端部に突起部５２３を設けることは必須ではなく、これを設けない構成としてもよい。
【符号の説明】
【００４５】
１      コマ玩具
１０    軸部
１１    軸先部
１２    鍔部
１３    円筒部
１４    上部ケース
１５    押圧部材
１７    下部ケース
３０    性能可変リング
４０    胴体
５０    軸部本体
５１    球状体
５２    環状部材
５３    第１柱状部材
５４    第２柱状部材
６０    ランチャー
【図１】
2018064726.tif 000003
【図２】
2018064726.tif 000004
【図３】
2018064726.tif 000005
【図４】
2018064726.tif 000006
【図５】
2018064726.tif 000007
【図６】
2018064726.tif 000008
【図７】
2018064726.tif 000009
【図８】
2018064726.tif 000010
【図９】
2018064726.tif 000011
【手続補正書】
【提出日】平成29年6月27日(2017.6.27)
【手続補正１】
【補正対象書類名】明細書
【補正対象項目名】０００６
【補正方法】変更
【補正の内容】
【０００６】
第１の手段は、
回転中心と一致する軸線を軸中心とする軸部を備え、
前記軸部における下端部に、前記軸線を中心として回転自在に設けられた環状部材と、この環状部材の中心に配置され、当該環状部材よりも下部に突出する接地部材と、を有する軸先部が配設されており、
前記軸部は、
前記軸先部を可動状態で下側から支持するとともに前記軸先部における下端部を露出させる下部ケースと、
前記軸先部における上側に当接する当接部材と、
を備えていることを特徴とする。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
第３の手段は、第１又は第２の手段において、前記環状部材における下側端部に、突起部が設けられていることを特徴とする。 
【手続補正４】
【補正対象書類名】明細書
【補正対象項目名】００１０
【補正方法】変更
【補正の内容】
【００１０】
第４の手段は、第１又は第２の手段において、前記環状部材における下側端部に、前記環状部材の周方向に沿ってほぼ均等な間隔をおいて複数の突起部が設けられていることを特徴とする。
【手続補正５】
【補正対象書類名】明細書
【補正対象項目名】００１１
【補正方法】変更
【補正の内容】
【００１１】
第５の手段は、第１又は第２の手段において、前記環状部材における下側端部に突起部が設けられ、
前記突起部における接地側はＲ形状となっていることを特徴とする。
【手続補正６】
【補正対象書類名】特許請求の範囲
【補正対象項目名】全文
【補正方法】変更
【補正の内容】
【特許請求の範囲】
【請求項１】
回転中心と一致する軸線を軸中心とする軸部を備え、
前記軸部における下端部に、前記軸線を中心として回転自在に設けられた環状部材と、この環状部材の中心に配置され、当該環状部材よりも下部に突出する接地部材と、を有する軸先部が配設されており、
前記軸部は、
前記軸先部を可動状態で下側から支持するとともに前記軸先部における下端部を露出させる下部ケースと、
前記軸先部における上側に当接する当接部材と、
を備えていることを特徴とするコマ玩具。
【請求項２】
前記接地部材は球状体であり、
前記環状部材は、前記球状体の上下方向における中央部よりも下側を抱持することで前記球状体を回転自在に保持するものであることを特徴とする請求項１に記載のコマ玩具。
【請求項３】
前記環状部材における下側端部に、突起部が設けられていることを特徴とする請求項１又は請求項２に記載のコマ玩具。
【請求項４】
前記環状部材における下側端部に、前記環状部材の周方向に沿ってほぼ均等な間隔をおいて複数の突起部が設けられていることを特徴とする請求項１又は請求項２に記載のコマ玩具。
【請求項５】
前記環状部材における下側端部に突起部が設けられ、
前記突起部における接地側はＲ形状となっていることを特徴とする請求項１又は請求項２に記載のコマ玩具。